(57)【要約】      （修正有）【課題】ホルダーにより上枠アセンブリと下枠アセンブリとを組み合わせてパーティションの長さを延ばすことが可能なパーティション構造を提供する。【解決手段】パーティション構造は、複数の結合アセンブリ１、複数の下枠アセンブリ２、複数のホルダー３及び複数の上枠アセンブリ４を備える。結合アセンブリ１は、支持ピラー、少なくとも１つの化粧カバー条１２、少なくとも１つのアダプタ条１３及び上蓋プレート１４を有する。支持ピラーは、化粧カバー条１２を嵌入させる複数のアダプタ槽を有する。アダプタ条１３の両端には、アダプタ端及びブリッジ端がそれぞれ設けられ、アダプタ端が支持ピラーのアダプタ槽に嵌入され、ブリッジ端が下枠アセンブリ２に接続され、支持ピラーの上端には、上蓋プレート１４が連結固定される。【選択図】図１
0003179141.tif 000002
【実用新案登録請求の範囲】
【請求項１】
複数の結合アセンブリ、複数の下枠アセンブリ、複数のホルダー及び複数の上枠アセンブリを備えたパーティション構造であって、
前記結合アセンブリは、支持ピラー、少なくとも１つの化粧カバー、少なくとも１つのアダプタ及び上蓋プレートを有し、前記支持ピラーは、前記化粧カバーを嵌入させる複数のアダプタ槽を有し、前記アダプタの両端には、アダプタ端及びブリッジ端がそれぞれ設けられ、前記アダプタ端が前記支持ピラーの前記アダプタ槽に嵌入され、前記ブリッジ端が前記下枠アセンブリに接続され、前記支持ピラーの上端には、前記上蓋プレートが連結固定され、
前記下枠アセンブリは、パーティション板材、上部横杆、下部横杆及び少なくとも１つの掛止片を有し、前記パーティション板材は、上端に前記上部横杆が連結固定され、下端に前記下部横杆が連結固定され、前記上部横杆には、前記掛止片が掛止され、前記掛止片の上端には、係合端が設けられ、
前記ホルダーは、少なくとも１つの挟持片と、少なくとも１つの固定部材と、を有し、
前記上枠アセンブリは、パーティション板材、上枠、下枠及び２つの角枠を有し、前記パーティション板材は、上端に前記上枠が連結固定され、下端に前記下枠が連結固定され、前記上枠及び前記下枠の両側の縁部に爪部溝がそれぞれ設けられ、前記パーティション板材の両側には、前記角枠がそれぞれ連結固定され、前記結合アセンブリの間には、前記下枠アセンブリが接合され、前記下枠アセンブリの上端と前記上枠アセンブリとが前記ホルダーによりそれぞれ挟持され、前記ホルダー中の前記挟持片のそれぞれは、側部に突設された当接端と、上収納槽及び下収納槽と、を有し、前記当接端は、前記固定部材を貫設させて前記挟持片同士を結合させる係合孔を有することを特徴とするパーティション構造。
【請求項２】
前記挟持片の前記上収納槽には、前記上枠アセンブリが固定され、
前記挟持片の前記下収納槽には、前記下枠アセンブリが固定され、
前記挟持片は、上端及び下端にそれぞれ設けられた係合端を有することを特徴とする請求項１に記載のパーティション構造。
【請求項３】
前記ホルダーは一体成形されることを特徴とする請求項１に記載のパーティション構造。
【請求項４】
前記結合アセンブリは、複数の矢印状の化粧面を有し、
前記化粧面は、前記支持ピラーの前記アダプタ槽中に嵌合させる係合端が一方の端部に設けられ、化粧面端が他方の端部に設けられることを特徴とする請求項１に記載のパーティション構造。
【請求項５】
前記支持ピラーは、支持セクション及びアダプタセクションを有し、
前記支持セクションと前記アダプタセクションとは連結固定されることを特徴とする請求項１に記載のパーティション構造。
【請求項６】
前記上枠アセンブリの前記下枠には、前記パーティション板材を中に設置する保護片が設けられ、
前記保護片は弾性パッドであることを特徴とする請求項１に記載のパーティション構造。
【請求項７】
前記下枠アセンブリの前記上部横杆は、下端に設けられた収納槽と、上下両側にそれぞれ設けられるとともに前記掛止片の前記係合端を掛止する爪部溝と、を有し、
前記下枠アセンブリの前記下部横杆は、上端に設けられた収納槽を有することを特徴とする請求項１に記載のパーティション構造。
【請求項８】
前記掛止片は、上端に設けられた前記係合端により、前記上部横杆の前記爪部溝中に連結固定されることを特徴とする請求項７に記載のパーティション構造。
【考案の詳細な説明】
【技術分野】
【０００１】
本考案は、パーティション構造に関するものであり、さらに詳しくは、ホルダーにより上枠アセンブリと下枠アセンブリとを組み合わせて長さの延長可能なパーティション構造に関するものである。
【背景技術】
【０００２】
従来、事務所内ではワーカーの集中力を高めるとともにプライバシーを守るために、家具又はパーティションにより空間を仕切り、様々な仕事のニーズに応じて作業環境を整えている。パーティションを利用することにより、空間を自在に作り出すことができるので、ワーカーに密閉した感じや圧迫感を与えることもないため、空間を企画・設計する者にとってパーティションは必要不可欠なものの一つである。
【０００３】
従来のパーティション構造は、複数本の中空円状の回転軸により支持するとともに、柱体の同じ高さに回転端を接続してから回転セクション上を蓋体で覆い、回転セクションの外周エリアに縦向きの嵌合溝が放射状に設けられ、任意の２つの回転セクションの間に立枠を設置することにより所定の形状で離間させ、互いに隣接した２つの立枠間に支持ピースを組み合わせてプレートを支持して空間を形成していた。しかし、上述のパーティション構造は、多様かつ複雑な部品を組み合わせる必要があるため、コストが高い上に組み立ても容易でないという問題があった。
【０００４】
従来から、パーティションの構造については多数の提案があるが、例えば、特開２０００−３１４１９７号公報（以下、「特許文献１」という。）には、クリーンルームの内部を複数の空間に仕切るパーティションの構造が記載されている。具体的には、複数の壁材を組み合わせてパーティションが形成されるパーティション構造において、矩形状に形成された壁板の両縁に壁板と直交方向につば板が設けられ、つば板同士を当接させるように連設された複数の壁材と、壁材同士を連結する連結具とから構成されるパーティション構造が記載されている。
【０００５】
しかし、かかる壁材は天井面と床面との間に一体として設けるものであり、事務室などに適用可能な小型のアセンブリーを組み合わせる点については開示がない。
【特許文献１】特開２０００−３１４１９７号公報
【考案の概要】
【考案が解決しようとする課題】
【０００６】
従って、本考案の第１の課題は、全体の構造が簡素であるパーティション構造を提供することにある。
【０００７】
また、本考案の第２の課題は、全体の構造の組み立てが容易であるパーティション構造を提供することにある。
【０００８】
さらに、本考案の第３の課題は、支持ピラーの形状を四角形に変えることもできるパーティション構造を提供することにある。
【課題を解決するための手段】
【０００９】
そこで、本考案者は、前記課題を解決するために、鋭意検討を重ねた結果、第２の課題については、化粧カバー及びアダプタをアダプタ溝に嵌入することにより、また、第３の課題については、矢印状の化粧面を有する係合端部を支持ピラーのアダプタ溝に嵌合することにより、解決できることに着目し、かかる知見に基いて本考案に想到するに至った。
【００１０】
かくして、本考案によれば、複数の結合アセンブリ、複数の下枠アセンブリ、複数のホルダー及び複数の上枠アセンブリを備えたパーティション構造であって、前記結合アセンブリは、支持ピラー、少なくとも１つの化粧カバー、少なくとも１つのアダプタ及び上蓋プレートを有し、前記支持ピラーは、前記化粧カバーを嵌入させる複数のアダプタ槽を有し、前記アダプタの両端には、アダプタ端及びブリッジ端がそれぞれ設けられ、前記アダプタ端が前記支持ピラーの前記アダプタ槽に嵌入され、前記ブリッジ端が前記下枠アセンブリに接続され、前記支持ピラーの上端には、前記上蓋プレートが連結固定され、前記下枠アセンブリは、パーティション板材、上部横杆、下部横杆及び少なくとも１つの掛止片を有し、前記パーティション板材は、上端に前記上部横杆が連結固定され、下端に前記下部横杆が連結固定され、前記上部横杆には、前記掛止片が掛止され、前記掛止片の上端には、係合端が設けられ、前記ホルダーは、少なくとも１つの挟持片と、少なくとも１つの固定部材と、を有し、前記上枠アセンブリは、パーティション板材、上枠、下枠及び２つの角枠を有し、前記パーティション板材は、上端に前記上枠が連結固定され、下端に前記下枠が連結固定され、前記上枠及び前記下枠の両側の縁部に爪部溝がそれぞれ設けられ、前記パーティション板材の両側には、前記角枠がそれぞれ連結固定され、前記結合アセンブリの間には、前記下枠アセンブリが接合され、前記下枠アセンブリの上端と前記上枠アセンブリとが前記ホルダーによりそれぞれ挟持され、前記ホルダー中の前記挟持片のそれぞれは、側部に突設された当接端と、上収納槽及び下収納槽と、を有し、前記当接端は、前記固定部材を貫設させて前記挟持片同士を結合させる係合孔を有することを特徴とするパーティション構造が提供される。
【００１１】
前記挟持片の前記上収納槽には、前記上枠アセンブリが固定され、前記挟持片の前記下収納槽には、前記下枠アセンブリが固定され、前記挟持片は、上端及び下端にそれぞれ設けられた係合端を有することが好ましい。
【００１２】
前記ホルダーは一体成形されることが好ましい。
【００１３】
前記結合アセンブリは、複数の矢印状の化粧面を有し、前記化粧面は、前記支持ピラーの前記アダプタ槽中に嵌合させる係合端が一方の端部に設けられ、化粧面端が他方の端部に設けられることが好ましい。
【００１４】
前記支持ピラーは、支持セクション及びアダプタセクションを有し、前記支持セクションと前記アダプタセクションとは連結固定されることが好ましい。
【００１５】
前記上枠アセンブリの前記下枠には、前記パーティション板材を中に設置する保護片が設けられ、前記保護片は弾性パッドであることが好ましい。
【００１６】
前記下枠アセンブリの前記上部横杆は、下端に設けられた収納槽と、上下両側にそれぞれ設けられるとともに前記掛止片の前記係合端を掛止する爪部溝と、を有し、前記下枠アセンブリの前記下部横杆は、上端に設けられた収納槽を有することが好ましい。
前記掛止片は、上端に設けられた前記係合端により、前記上部横杆の前記爪部溝中に連結固定されることが好ましい。
【考案の効果】
【００１７】
本考案は、前記の通りの構成からなり、特に、ホルダーを利用して下枠アセンブリと上枠アセンブリとを連結させて組み合わせることにより、簡素な構造によりパーティション構造を延長することができるので、組み立ての多様性及び柔軟性を得ることができると共に、下枠アセンブリと床との間の通気性を向上させることができる。
【図面の簡単な説明】
【００１８】
【図１】本考案の一実施形態に係るパーティション構造を示す斜視図である。
【図２】本考案の一実施形態に係るパーティション構造を示す分解斜視図である。
【図３】本考案の一実施形態に係るパーティション構造の支持ピラーを示す模式図である。
【図４】本考案の他の実施形態に係るパーティション構造の支持ピラーを示す模式図である。
【図５】本考案の一実施形態に係るパーティション構造のホルダーを結合する上枠アセンブリが木材板であるときの状態を示す模式図である。
【図６】本考案の一実施形態に係るパーティション構造のホルダーを結合する上枠アセンブリがガラスであるときの状態を示す模式図である。
【図７】本考案の一実施形態に係るパーティション構造のホルダーを結合する上枠アセンブリを示す模式図である。
【図８】本考案の一実施形態に係るパーティション構造の一部を組み合わせて長くしたときの状態を示す模式図である。
【考案を実施するための形態】
【００１９】
以下、本考案の実施形態について図面に基づいて説明する。なお、これによって本考案が限定されるものではない。
【００２０】
図１〜図３を参照する。図１〜図３に示すように、本考案の一実施形態に係るパーティション構造は、少なくとも複数の結合アセンブリ１、複数の下枠アセンブリ２、複数のホルダー３及び複数の上枠アセンブリ４から構成される。各結合アセンブリ１の間には、下枠アセンブリ２が接合される。下枠アセンブリ２の上端と上枠アセンブリ４とは、複数のホルダー３により挟持される。
【００２１】
複数の結合アセンブリ１は、支持ピラー１１と、少なくとも１つの化粧カバー（条）１２と、少なくとも１つのアダプタ（条）１３と、上蓋プレート１４と、を含む。支持ピラー１１は、支持セクション１１１及びアダプタセクション１１２を有する。支持セクション１１１とアダプタセクション１１２とは、ボルト１１３により締結される。アダプタセクション１１２には、必要に応じて複数のアダプタ槽１１４が設けられる。アダプタ槽１１４には、化粧カバー（条）１２が嵌合される。アダプタ（条）１３の両端には、アダプタ端１３１及びブリッジ端１３２がそれぞれ設けられる。アダプタ端１３１は、アダプタセクション１１２のアダプタ槽１１４中に嵌合される。ブリッジ端１３２には、ボルト１３３が当接され、アダプタ（条）１３とアダプタセクション１１２とが結合させる。ブリッジ端１３２には、パーティション板材２１が設置される。支持ピラー１１の上端には、上蓋プレート１４が連結固定される。
【００２２】
複数の下枠アセンブリ２は、パーティション板材２１、上部横杆２２、下部横杆２３及び少なくとも１つの掛止片２４を含む。パーティション板材２１は、上端に連結固定された上部横杆２２と、下端に連結固定された下部横杆２３と、を有する。上部横杆２２の下端には、パーティション板材２１を連結固定するために用いる収納槽２２１が設けられる。上部横杆２２の上下両側には、爪部溝２２２がそれぞれ設けられる。掛止片２４は、上端に設けられた係合端２４１を、上部横杆２２の爪部溝２２２に嵌合させる。下部横杆２３は、上端に設けられた収納槽２３１により、パーティション板材２１に連結固定される。
【００２３】
複数のホルダー３は、少なくとも１つの挟持片３１及び少なくとも１つの固定部材３４を含む。挟持片３１は、側部に突設された当接端３２と、上収納槽３２１及び下収納槽３２２と、を有する。上収納槽３２１は、上枠アセンブリ４を設置して固定するために用いる。下収納槽３２２は、下枠アセンブリ２を設置して固定するために用いる。当接端３２は、固定部材３４を貫設させて挟持片３１同士を結合させるために用いる係合孔３２３を有する。挟持片３１の上端及び下端には、係合端３３がそれぞれ設けられる。係合端３３は、下枠アセンブリ２の爪部溝２２２と、複数の上枠アセンブリ４の爪部溝４２１，４３１とに嵌合される。
【００２４】
複数の上枠アセンブリ４は、パーティション板材４１、上枠４２、下枠４３及び２つの角枠４４を含む。パーティション板材４１は、上端に上枠４２が連結固定され、下端に下枠４３が連結固定される。上枠４２の両側には、ホルダー３の係合端３３を嵌合するために用いる爪部溝４２１がそれぞれ設けられる。下枠４３の両側には、ホルダー３の係合端３３を嵌合するために用いる爪部溝４３１がそれぞれ設けられる。パーティション板材４１の両側には、角枠４４がそれぞれ連結固定される。
【００２５】
図４を続けて参照する。図４に示すように、本実施形態の結合アセンブリ１は、複数の矢印状の化粧面（条）１５を含む。この化粧面（条）１５の一方の端部には、係合端１５１が設けられる。係合端１５１は、支持ピラー１１のアダプタ槽１１４中に嵌合される。化粧面（条）１５の他方の端部には、化粧面端１５２が設けられる。化粧面（条）１５によりアダプタ（条）１３のアダプタ端１３１及びブリッジ端１３２を代替すると、支持ピラー１１の形状を四角形に変えることができる。
【００２６】
図５〜図８を参照する。図５〜図８に示すように、本考案の一実施形態に係るパーティション構造は、少なくとも複数の結合アセンブリ１と、複数の下枠アセンブリ２と、複数のホルダー３と、複数の上枠アセンブリ４と、から構成される。各結合アセンブリ１の間には、下枠アセンブリ２が接合される。複数のホルダー３は、下枠アセンブリ２の上端と、上枠アセンブリ４と、を挟持する。複数のホルダー３は、少なくとも１つの挟持片３１と、少なくとも１つの固定部材３４と、を有する。挟持片３１は、側部に突設された当接端３２を有し、この当接端３２は、上収納槽３２１及び下収納槽３２２に当接される。上収納槽３２１は、上枠アセンブリ４を設置して固定するために用いる。下収納槽３２２は、下枠アセンブリ２を設置して固定するために用いる。当接端３２には、固定部材３４を貫設させて挟持片３１を固定するために用いる係合孔３２３が設けられている。挟持片３１の上端及び下端に設けられた係合端３３は、下枠アセンブリ２中の上部横杆２２上端の爪部溝２２２と、上枠アセンブリ４中の下枠４３下端の爪部溝４３１中に嵌合され、下枠アセンブリ２中の上部横杆２２下端の爪部溝２２２には、掛止片２４の係合端２４１が嵌入されて掛止される。掛止片２４は、プレート５を設置して固定するために用い、上枠アセンブリ４のパーティション板材４１は、木材板４１１を含み（図５参照）、上枠アセンブリ４のパーティション板材４１は、ガラス４１２を含む（図６参照）。図６に示すように、ガラス４１２を使用する場合、上枠アセンブリ４の下枠４３に保護片４３２を設ける。保護片４３２は、弾性パッドであり、保護片４３２中にガラス４１２を設置する。
【００２７】
また、図７に示すように、他の実施形態では、ホルダー３を一体成形してもよい。本実施形態のパーティション構造は、複数の結合アセンブリ１と、複数の下枠アセンブリ２と、複数のホルダー３と、複数の上枠アセンブリ４と、を含む。結合アセンブリ１の支持セクション１１１とアダプタセクション１１２とを締結し、アダプタセクション１１２を化粧カバー（条）１２へ嵌合させた後、各結合アセンブリ１の間に下枠アセンブリ２を接合させ、下枠アセンブリ２の上部横杆２２と下部横杆２３との間にパーティション板材２１を設置する。下枠アセンブリ２の上端には、複数のホルダー３の挟持片３１が挟持され、複数のホルダー３により上枠アセンブリ４を挟持してパーティション構造を構成する。
【００２８】
上述したように、ホルダー３を利用して下枠アセンブリ２と上枠アセンブリ４とを連結させて組み合わせ、パーティション構造を長くすることができるため、組み立ての多様性及び柔軟性を得るとともに、下枠アセンブリ２と床との間の通気性を高めることもできる。
【００２９】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３０】
１  結合アセンブリ
２  下枠アセンブリ
３  ホルダー
４  上枠アセンブリ
５  プレート
１１  支持ピラー
１２  化粧カバー
１３  アダプタ
１４  上蓋プレート
１５  化粧面
２１  パーティション板材
２２  上部横杆
２３  下部横杆
２４  掛止片
３１  挟持片
３２  当接端
３３  係合端
３４  固定部材
４１  パーティション板材
４２  上枠
４３  下枠
４４  角枠
１１１  支持セクション
１１２  アダプタセクション
１１３  ボルト
１１４  アダプタ槽
１３１  アダプタ端
１３２  ブリッジ端
１３３  ボルト
１５１  係合端
１５２  化粧面端
２２１  収納槽
２２２  爪部溝
２３１  収納槽
２４１  係合端
３２１  上収納槽
３２２  下収納槽
３２３  係合孔
４１１  木材板
４１２  ガラス
４２１  爪部溝
４３１  爪部溝
４３２  保護片
【図１】
0003179141.tif 000003
【図２】
0003179141.tif 000004
【図３】
0003179141.tif 000005
【図４】
0003179141.tif 000006
【図５】
0003179141.tif 000007
【図６】
0003179141.tif 000008
【図７】
0003179141.tif 000009
【図８】
0003179141.tif 000010